(57)【特許請求の範囲】
【請求項１】
表示部と、
ユーザの運動状態に基づく行動履歴を記憶する行動記憶メモリと、
前記表示部を制御する制御部と、を備え、
前記表示部が、第１の表示と、前記第１の表示よりも消費電力が多くかつ表示内容が高精細な第２の表示とを表示可能なように構成され、
前記第１の表示のみのモード１と、前記第２の表示のみのモード２と、前記第１の表示と前記第２の表示の両方を組み合わせて表示させるモード３と、前記第１の表示と前記第２の表示の両方を休止させるモード４と、を有し、
前記制御部が、前記ユーザの前記運動状態に基づく行動履歴を参照して次に後続すると予測される前記ユーザの運動状態のジャンルに適応するように、前記モード１ないしモード４いずれかを選択する
ことを特徴とする携帯型電子装置。
【請求項２】
前記運動状態のジャンルは、徒歩、ウオーキング、ランニング、トレイルランニング、サイクリング、登山、ハイキング、釣りのいずれかを含むことを特徴とする、請求項１記載の携帯型電子装置。
【請求項３】
前記行動記憶メモリは、予め類型化された行動履歴を記憶していることを特徴とする請求項１に記載の携帯型電子装置。
【請求項４】
ユーザの状況及び／又は前記ユーザが置かれている環境を測定するセンサを備え、
前記行動記憶メモリは、前記センサによって測定した結果に基づき、前記ユーザの行動履歴を記憶していくことを特徴とする請求項１に記載の携帯型電子装置。
【請求項５】
前記行動記憶メモリは、外部のサーバに記憶されている行動履歴の少なくとも一部を受信して記憶することを特徴とする請求項１に記載の携帯型電子装置。
【請求項６】
前記表示部が単層のディスプレイから構成され、
前記制御部が前記第１の表示と前記第２の表示とを前記ディスプレイ上に表示し、前記第１の表示と前記第２の表示とを切り替えることを特徴とする請求項１から５のいずれか１項に記載の携帯型電子装置。
【請求項７】
前記ディスプレイがメモリインピクセル（ＭＩＰ）液晶であることを特徴とする請求項６に記載の携帯型電子装置。
【請求項８】
前記表示部が複層のディスプレイから構成され、
前記制御部が、前記第１の表示を第１のディスプレイ上に、前記第２の表示を第２のディスプレイ上に表示し、前記第１の表示と前記第２の表示とを切り替えることを特徴とする請求項１から６のいずれか１項に記載の携帯型電子装置。
【請求項９】
前記第１のディスプレイが高分子分散（ＰＮ）液晶、前記第２のディスプレイが薄膜トランジスタ（ＴＦＴ）液晶であることを特徴とする請求項８に記載の携帯型電子装置。
【請求項１０】
前記制御部が、前記モード２又は前記モード３において所定時間以上の操作が検出されないときは、前記表示部を前記モード４へ移行させることを特徴とする請求項１に記載の携帯型電子装置。
【請求項１１】
前記制御部が、前記第１の表示を制御する低消費電力の第１のプロセッサと、前記第２の表示を制御するハイパフォーマンスの第２のプロセッサを有することを特徴とする請求項１に記載の携帯型電子装置。
【請求項１２】
前記制御部が、前記モード３において前記第１の表示と前記第２の表示が互いに同期して表示されるように、独立した前記第１のプロセッサと前記第２のプロセッサをして相互に情報を連携しながら動作させることを特徴とする請求項１１に記載の携帯型電子装置。
【請求項１３】
前記行動履歴が前記ユーザの行動に応じて順次更新され、前記運動状態が更新された前記行動履歴を参照して学習的に予測されることを特徴とする請求項１から１２のいずれか１項に記載の携帯型電子装置。
【請求項１４】
前記表示部、前記行動記憶メモリ及び前記制御部が設けられる本体をさらに備え、前記本体が前記ユーザの身に付けることが可能なウェアラブル型であることを特徴とする請求項１から１３のいずれか１項に記載の携帯型電子装置。
【請求項１５】
携帯型電子装置と、前記携帯型電子装置とネットワークを介して接続されたサーバと、を備えたディスプレイ制御システムであって、
前記携帯型電子装置が、
第１の表示と、前記第１の表示よりも消費電力が多くかつ表示内容が高精細な第２の表示とを表示可能なように構成され、前記第１の表示のみを表示させるモード１と、前記第２の表示のみを表示させるモード２と、前記第１の表示と前記第２の表示の両方を組み合わせて表示させるモード３と、前記第１の表示と前記第２の表示の両方を休止させるモード４と、を有する表示部と、
ユーザの運動状態に基づく行動履歴を参照して前記ユーザの次に後続すると予測される運動状態のジャンルに適応するように、前記モード１ないしモード４いずれかを選択する制御部と、を備えることを特徴とするディスプレイ制御システム。
【請求項１６】
前記サーバが、前記行動履歴を参照して、前記ユーザの行動状態に適応するように、前記第１の表示及び前記第２の表示の駆動を制御するための制御信号を前記携帯型電子装置の前記制御部へ送信し、
前記制御部は、前記制御信号に基づいて前記ユーザの行動状態に適応するように、前記第１の表示及び前記第２の表示の駆動を制御することを特徴とする請求項１５に記載のディスプレイ制御システム。
【請求項１７】
携帯型電子装置のコンピュータが、
ユーザの運動状態に基づく行動履歴を記憶するステップと、
前記行動履歴を参照して次に後続すると予測される前記ユーザの運動状態のジャンルに適応するように、第１の表示と、前記第１の表示よりも消費電力が多くかつ表示内容が高精細な第２の表示とを制御し、前記第１の表示のみを表示させるモード１と、前記第２の表示のみを表示させるモード２と、前記第１の表示と前記第２の表示の両方を組み合わせて表示させるモード３と、前記第１の表示と前記第２の表示の両方を休止させるモード４のいずれかを選択するステップと、を備えることを特徴とするディスプレイ制御方法。
【請求項１８】
携帯型電子装置のコンピュータに、
ユーザの運動状態に基づく行動履歴を記憶する機能と、
前記行動履歴を参照して次に後続すると予測される前記ユーザの運動状態のジャンルに適応するように、第１の表示と、前記第１の表示よりも消費電力が多くかつ表示内容が高精細な第２の表示を制御する機能と、前記第１の表示のみを表示させるモード１と、前記第２の表示のみを表示させるモード２と、前記第１の表示と前記第２の表示の両方を組み合わせて表示させるモード３と、前記第１の表示と前記第２の表示の両方を休止させるモード４のいずれかを選択する機能と、を実行させることを特徴とするディスプレイ制御プログラム。
【発明の詳細な説明】
【技術分野】
【０００１】
本発明は、携帯型電子装置、ディスプレイ制御システム、ディスプレイ制御方法及びディスプレイ制御プログラムに関する。
【背景技術】
【０００２】
スポーツウォッチやスマートフォンをはじめ、近年の装着型や携帯型の電子装置は、例えば、加速度センサやジャイロセンサ（角速度センサ）、ＧＰＳ（Global Positioning System；全地球測位システム）による測位センサ等のセンサ類や、各種のデータ通信機能等を備えている。これらのセンサ類や通信機能は、電子装置の携帯時や使用時には、常時動作を行うように設定され、また、それらにより取得された各種情報が、表示装置を介して利用者に様々な表示形態で随時提供される。これにより、利用者は自己の運動状態や移動経路等を、容易に把握することができるようになっている。
【０００３】
しかしながら、このような電子機器において、表示装置に最新情報等を頻繁に表示し、あるいは、滑らかな動画やアニメーション等を表示する場合、一般に、表示装置を駆動制御する演算処理回路（プロセッサ）における処理負担が増大し、その結果、消費電力が増加する。そのため、バッテリにより駆動されるスポーツウォッチ等の電子装置の駆動時間が非常に短くなってしまう。
【０００４】
このため、例えば、特許文献１に、コンテンツに応じて複数あるディスプレイを選択して表示することにより電子装置の消費電力を低減する技術が開示されている。特許文献１に記載された技術によれば、映像の表示に用いられる第１のディスプレイと、第１のディスプレイに比べて消費電力が少ない第２のディスプレイを備えている。制御部は、起動されたアプリケーションに含まれる、表示を行うディスプレイを指定するディスプレイ指定情報を取得し、このディスプレイ指定情報に基づいて起動されたアプリケーションを第１のディスプレイ又は第２のディスプレイのいずれかに出力する。ここで、ディスプレイは積層される複数のディスプレイを有している。
【０００５】
特許文献１に開示された技術は、例えば、動画のように情報量が多いコンテンツを表示するときは、解像度が高くフルカラー表示が可能である等、表示仕様が比較的リッチなディスプレイに表示し、テキストのように情報量が少ないコンテンツを表示する場合は、モノクロ表示等比較的表示仕様がプアなディスプレイに表示することによって消費電力の削減を図っている。しかしながら、特許文献１に開示された技術によれば、コンテンツに応じてディスプレイを選択しており、多様なユーザやユーザの様々な行動に応じてディスプレイの適切な動作制御を行うことができなかった。
【先行技術文献】
【特許文献】
【０００６】
【特許文献１】特開２０１３−１１４６９８号公報
【発明の概要】
【発明が解決しようとする課題】
【０００７】
本発明は、上記事情に鑑みてなされたものであり、多様なユーザやユーザの様々な行動に応じてディスプレイの適切な動作制御を行うことができる、携帯型電子装置、ディスプレイ制御システム、ディスプレイ制御方法、及びディスプレイ制御プログラムを提供することを目的とする。
【課題を解決するための手段】
【０００８】
上記した課題を解決するために、本発明の第１の態様に係る携帯型電子装置は、表示部と、
ユーザの運動状態に基づく行動履歴を記憶する行動記憶メモリと、
前記表示部を制御する制御部と、を備え、
前記表示部が、第１の表示と、前記第１の表示よりも消費電力が多くかつ表示内容が高精細な第２の表示とを表示可能なように構成され、
前記第１の表示のみを表示させるモード１と、前記第２の表示のみを表示させるモード２と、前記第１の表示と前記第２の表示の両方を組み合わせて表示させるモード３と、前記第１の表示と前記第２の表示の両方を休止させるモード４と、を有し、
前記制御部が、前記ユーザの前記運動状態に基づく行動履歴を参照して次に後続すると予測される前記ユーザの運動状態のジャンルに適応するように、前記モード１ないしモード４いずれかを選択することを特徴とする携帯型電子装置を提供するものである。本発明の他の態様は、本明細書、及び添付図面の記載により、明らかにする。
【発明の効果】
【０００９】
本発明によれば、多様なユーザやユーザの様々な行動に応じてディスプレイの適切な動作制御が可能となる。
【図面の簡単な説明】
【００１０】
【図１】本発明の第１実施形態に係る携帯型電子装置の構成を示すブロック図である。
【図２】図１の表示部周辺の構成例を示す図である。
【図３】図１の入力データテーブルのデータ構造の一例を示す図である。
【図４】図１の行動記憶手段のデータ構造の一例を示す図である。
【図５】本発明の第１実施形態に係る携帯型電子装置の基本動作を示すフローチャートである。
【図６】図５の一部動作の詳細を示すフローチャートである。
【図７】本発明の第２実施形態に係るディスプレイ制御システムの構成を示す図である。
【図８】本発明の第２実施形態に係るディスプレイ制御システムの動作シーケンス図である。
【発明を実施するための形態】
【００１１】
以下、添付図面を参照して、本発明を実施するための形態（以下、実施形態）について詳細に説明する。以降の図においては、実施形態の説明の全体を通して同じ要素には同じ番号又は符号を付している。
【００１２】
（第１実施形態の構成）
図１は、本発明の第１実施形態に係る携帯型電子装置の構成を示すブロック図である。第１実施形態に係る携帯型電子装置１０は、ランニングやジョギング等の際に、ユーザの腕に巻き付けられるウェアラブル型の電子装置を想定している。このため、図１に示すように、携帯型電子装置１０は、センサ部１１と、記憶部１２と、制御部１３と、表示部１４と、タッチパネル部１５と、通信部１６と、により構成される。
【００１３】
センサ部１１は、生体センサ１１１と、ＧＰＳレシーバを含む環境センサ１１２とを含む。
【００１４】
生体センサ１１１は、ユーザの身体状況、例えば、脈拍（心拍）、血圧、体温等の生体情報を計測する複数のセンサを含み、ここで測定された生体情報は記憶部１２の作業領域に記憶される。また、環境センサ１１２は、ユーザの置かれた環境、例えば、気温、気圧、湿度、紫外線量、騒音等の環境情報を測定する複数のセンサを含み、ここで測定された環境情報は記憶部１２の作業領域に記憶される。
【００１５】
環境センサ１１２は、また、ＧＰＳレシーバの他に、３軸地磁気センサ、１軸加速度センサ及び１軸ジャイロ等を含む。ＧＰＳレシーバは、複数の測位衛星（ＧＰＳ衛星）から送られてくる電波をアンテナにより受信することによって、現在位置を示す緯度、経度からなる位置データを取得し、取得した位置データを、使用者の行動場所を示す位置情報として制御部１３に供給する。いわゆる絶対位置を測定する。ＧＰＳレシーバに加えて３軸地磁気センサ、１軸加速度センサ及び１軸ジャイロ等を用いることにより、装置の３軸方向の動きを計測することをも可能で、これらセンサの組み合わせにより、移動軌跡や運動ログ等を正確にトレースすることができる。環境センサ１１２のＧＰＳレシーバ等により計測された位置情報は、生体情報、環境情報同様、記憶部１２の作業領域に記憶される。
【００１６】
さらに、センサ部１１には、ＣＭＯＳやＣＣＤ等の撮像センサ１１３を含んでもよい。ユーザが自分の顔、又は周囲の景色等を撮影記憶しておくことにより、行動履歴として使用できる。また、画像認識技術により、ユーザの表情を分析して感情や疲労度を知ることもでき、生体センサ１１１の代替としても使用できる。
【００１７】
記憶部１２には、バッテリバックアップされたＳＲＡＭ（Static Random Access Memory）又はＤＲＡＭ（Dynamic Random Access Memory）等が実装され、本発明のディスプレイ制御プログラムが格納されるプログラム領域の他に、プログラム実行過程で生成された各種データが格納される作業領域化が割り当てられている。具体的に、作業領域に格納されるデータは、センサ部１１により計測される生体情報、環境情報、位置情報等により推定されるユーザの運動状態が格納される入力データテーブル１２１、予め類型化された行動パターンを記憶しているか、あるいはセンサ部１１によって測定された結果を学習してユーザの行動履歴を記憶していく行動記憶手段１２２と、を含む。入力データテーブル１２１、行動記憶手段１２２（行動判定テーブル１２２ａと行動予測テーブル１２２ｂ）のデータ構造については後述する。
【００１８】
制御部１３は、接続されるセンサ部１１を記憶部１２のプログラム領域に格納されたディスプレイ制御プログラムにしたがい制御する他、周辺装置として接続される表示部１４、タッチパネル部１５、通信部１６も制御する。また、制御部１３は、ディスプレイ制御プログラムにしたがい、行動記憶手段１２２を参照して、ユーザの行動状態に適応するように、表示部１４の動作を制御（モード制御）する。ここで、行動状態は、現に進行中の行動状態（第１の行動状態）と、次に後続すると予測される行動状態（第２の行動状態）とを含む。このため、制御部１３は、行動記憶手段１２２を参照して、ユーザの現在の行動に適応するように、また、行動記憶手段１２２を参照して後続するユーザの次の行動を予測し、予測したユーザの次の行動に適応するようにセンサ部１１の動作状態を制御する。
【００１９】
上記した機能を実現するため、制御部１３は、実行するディスプレイ制御プログラムの構造がブロック展開して示されているように、表示制御手段１３０と、学習手段１３１と、予測手段１３２と、を含む。
【００２０】
表示制御手段１３０は、学習手段１３１、予測手段１３２の動作を管理すると共に、行動記憶手段１２２を参照して、ユーザの行動状態に適応するように、消費電力が少なくかつ表示内容が低精細な表示（第１の表示）、及び消費電力が多くかつ表示内容が高精細な（第２の表示）の駆動を制御する。なお、後述するように、表示部１４は、互いに対し相対的に第１の表示と第２の表示とを表示可能なように構成されている。これを実現するための具体的なハードウエア構成は後述する。
【００２１】
学習手段１３１は、センサ部１１によって測定した結果を用いて学習し、行動記憶手段１２２に予め記憶されている類型化された行動パターンにその学習結果を反映させ、ユーザの行動履歴として記憶していくように制御する。すなわち、行動履歴は、ユーザの行動に応じて順次更新され、行動状態が更新された行動履歴を参照して学習的に推定される。予測手段１３２は、表示制御手段１３０と協働して動作することで、行動記憶手段１２２を参照して、ユーザの現在の行動に適応するように表示部１４の表示駆動を制御するときに、ユーザの次の行動を予測し、予測したユーザの次の行動に適応するように表示部１４の駆動を制御する。
【００２２】
表示部１４は、ＬＣＤ（Liquid Crystal Device）と、これを駆動する駆動回路等から構成される表示モニタである。また、表示部１４にはタッチパネル部１５が設けられており、表示画面上をタッチすることにより操作を行う。通信部１６は、スマホ端末やサーバ等、図示省略した外部装置との間で、例えばブルートゥース（登録商標）等のリンクを行う無線通信インタフェースである。
【００２３】
図２に、表示部１４周辺のハードウエア構造が示されている。図２によれば、表示部１４は、複層のディスプレイ１４８，１４９を含む。ディスプレイ１４８（第１のディスプレイ）は上層に、ディスプレイ１４９（第２のディスプレイ）は下層に積層配置される。また、図１の表示制御手段１３０の機能を実現するために実装される第１のプロセッサ１４１と、第２のプロセッサ１４２が連携して動作することにより、複層のディスプレイ１４８，１４９を、互いに対し相対的に、消費電力が少なくかつ表示内容が低精細な表示と、消費電力が多くかつ表示内容が高精細な表示とを表示可能なように構成されている。
【００２４】
上層にはディスプレイ１４８としてＰＮレイヤが配置されている。高分子分散（ＰＮ）液晶（Polymer Network Liquid Crystal又はPolymer Dispersed Liquid Crystal）は、局所的に電位をかけると、電位をかけられた部位においてポリマーマトリックス内に充填された高分子材料が電界方向（液晶面対して直交方向）に整列するという性質がある。高分子が整列した部位においては外光がポリマーマトリックス内で充填された散乱層を貫通し、無反射層で大きく吸収されるため、外側から見ると黒色に見える。一方で電位がかけていない部位について分子は散乱配列のままであるため、外光を強く乱反射するため、外側から見ると白色に見える。ＰＮ液晶は、この現象を利用することより、特に、野外晴天下等の強い外光環境において局所間の強烈なコントラストを生み出し、視認性に優れるという特性を持つ。また、ＰＮ液晶は、上記した状態を電力なしで保持する性質があるため、低消費電力であることも大きな特徴の一つである。
【００２５】
ＰＮ液晶は、背面からの光も透過させるという性質もある。下層のディスプレイ１４９として積層配置される薄膜トランジスタ（ＴＦＴ）液晶（Thin Film Transistor Liquid Crystal）の後ろからバックライトＬＥＤ（Light Emitting Diode）１５０で液晶を照らすと、液晶は表示状態となりカラー表示を行う。このことにより、拡散反射の部位では背面カラー液晶の光は通さず、高分子配列部位のみが背面カラー液晶の光を透過する現象になる。つまり、電位をかけられた部位において、上層のディスプレイ１４８であるＰＮ液晶は、全面からの太陽光を通過させるだけでなく、下層のディスプレイ１４９である背面のカラー液晶の光も通過させ、その結果、カラー表示が浮かびあがり、ＰＮ液晶とＴＦＴカラー液晶層が重なってみえるという性質がある。すなわち、下層のディスプレイ１４９のカラー液晶をＯＦＦしているときは、電位をかけている部位が光を吸収して黒で表示され、バックライトＬＥＤ１５０とカラー液晶をＯＮしているときは、電位をかけている部位が透けてカラー表示を見ることができる。
【００２６】
このため、第１のプロセッサ１４１と第２のプロセッサ１４２のデュアル構成のＣＰＵを実装し、相互が連携して動作する構成をとる。すなわち、上層に配置された超低消費電力のディスプレイ１４８を制御する比較的ローパワーのプロセッサ１４１（第１のプロセッサ）と、下層に配置された消費電力が比較的大きいがカラー表示可能なディスプレイ１４９を制御するハイパフォーマンスのプロセッサ１４２（第２のプロセッサ）とを組み合わせて使用することとした。ただし設計上は同一のプロセッサを２個実装して使い分けてもよい。さらに、物理的に２個のプロセッサが必要なわけではなく、１つのパッケージ内に２つのプロセッサコアを含むデュアルプロセッサを採用してもよい。
【００２７】
なお、第１のプロセッサ１４１に接続されるメモリ１４３は、表示データが描画され、上層のディスプレイ１４８の表示タイミングに同期して読み込まれるＶＲＡＭ（Video RAM）であり、ドライバ１４４は、そのための表示駆動回路である。また、第２のプロセッサ１４２に接続されるメモリ１４５は、表示データが描画され、ディスプレイ１４９の表示タイミングに同期して読み込まれるＶＲＡＭであり、ドライバ１４６は、そのための表示駆動回路である。また、バックライトＬＥＤ１５０は、バックライト制御部１４７により制御され、バックライト制御部１４７は、第１のプロセッサ１４１及び第２のプロセッサ１４２により制御される構成となっている。すなわち、第１のプロセッサ１４１及び第２のプロセッサ１４２が表示部１４を制御するのに伴い、第１のプロセッサ１４１及び第２のプロセッサ１４２いずれからもバックライトＬＥＤ１５０の点灯、消灯を制御できる構成となっている。
【００２８】
上記したハードウエア構造を有する表示制御手段１３０は、表示モードとして、消費電力が少なくかつ表示内容が低精細な表示を行う「モード１」と、消費電力が多くかつ表示内容が高精細な表示を行う「モード２」と、消費電力が少なくかつ表示内容が低精細な表示と、消費電力が多くかつ表示内容が高精細な表示の両方を組み合わせて表示を行う「モード３」と、消費電力が少なくかつ表示内容が低精細な表示と、消費電力が多くかつ表示内容が高精細な表示の両方を休止する「モード４」と、を有する。
【００２９】
表示制御手段１３０は、「モード２」又は「モード３」において、所定時間以上のタッチパネル部１５等による操作が検出されないときは、「モード４」へ移行させる制御も行う。また、表示制御手段１３０は、「モード３」において第１の表示と第２の表示が互いに同期して表示されるように、独立した第１のプロセッサ１４１，第２のプロセッサ１４２間で相互に情報を連携しながら動作させる。なお、上層のディスプレイ１４８と下層のディスプレイ１４９を同時表示させて双方の重ね合わせ表示を行うこともできる。この場合、表示制御手段１３０は、見た目を考慮して同期した表示を行う必要がある。
【００３０】
なお、表示部１４０として、腕時計型のウェアラブル装置を例示すれば、常に完全な表示を行う必要はなく、極論すれば、常時、超低消費電力の「第１の表示」を行い、ユーザが表示部１４を視認している時間帯だけ高精細な「第２の表示」に切り換えればよい。表示制御手段１３０は、ユーザが表示部１４を視認していることをイベントして知るためのトリガは、「ボタン押下」、「タッチパネルに触れる」、「ジャイロや加速度センサでユーザの姿勢を自動検知する」、「加速度センサでジェスチャや特定のショックを検知する」、「ボイスコマンドで反応させる」、等が考えられる。
【００３１】
表示制御手段１３０は、上記のイベントを検知することにより、第１のプロセッサ１４１は第２のプロセッサ１４２に起動を指示する。同時にメモリ１４３とドライバ１４４の通信を停止させ、上層のディスプレイ１４８（ＰＮ液晶）を「ＯＦＦ：透過」の状態とする。そして、起動が指示された第２のプロセッサ１４２は、メモリ１４５及びドライバ１４６の駆動を開始して下層のディスプレイ１４９（ＴＦＴ液晶）による表示を開始する。また、必要に応じてバックライト制御部１４７を駆動してバックライトＬＥＤ１５０の点灯を行う。以降は、メモリ１４５の描画更新処理が実行される。バックライトＬＥＤ１５０は、上記の表示モード１〜４に合わせて適宜点灯、消灯するが、消費電力削減のためにバックライトＬＥＤ１５０だけを消灯することができる。モード１においては、バックライトＬＥＤ１５０が点灯している場合は上層のディスプレイ１４８は透過型ディスプレイとして機能し、消灯しているときは反射型ディスプレイとして機能する。また、モード１〜３において、表示の休止よりも先にバックライトＬＥＤ１５０を消灯することによって一層の消費電力削減を図ることができる。
【００３２】
この状態では、透過した上層のディスプレイ１４８を通して下層のディスプレイ１４９の高精細かつ鮮やかなカラー表示が見えるように動作する。なお、電力消費を抑制するという観点から休止状態である「モード４」への移行が望ましいため、タッチパネル部１５の未操作時間が一定時間続くとタイムアウトを検出することにより休止状態に戻すことができる。
【００３３】
なお、表示部１４は、複層のディスプレイに限らず、メモリインピクセル（ＭＩＰ）液晶等、単層のディスプレイにより構成されてもよい。ＭＩＰ液晶とは、画面を構成する画素の中に、メモリを有するメモリ性液晶の一種である。ＭＩＰ液晶は、通常、薄膜フィルムを使用したＴＦＴを組み合わせた液晶ディスプレイの画素内に１ビットのスタティックＲＡＭと交流駆動ドライブ回路とを形成している。
【００３４】
スタティックＲＡＭは、一度データを書き込むと電源を切らない限りデータを記憶するもので、ＤＲＡＭよりは回路上複雑であるが、記憶内容を保持するのに定期間間隔で電流を流す必要がないため、ＤＲＡＭに比較して省電力効果があるメモリである。一般的なＴＦＴ液晶に比べると、画素内の回路構成が複雑になって表示更新の都度一定の電流を流す必要はあるがかなり使用電力を抑制することができる。
【００３５】
図３（ａ）に、生体センサ１１１から取得される生体情報、環境センサ１１２から取得される運動ログ等に基づき判定されるユーザの運動状態が設定される入力データテーブル１２１ａのデータ構造の一例が、図３（ｂ）に、環境センサ１１２から取得される外部環境等に基づき設定される入力データテーブル１２１ｂのデータ構造の一例が、それぞれ示されている。
【００３６】
図３（ａ）の入力データテーブル１２１ａによれば、生体センサ１１１から取得される、例えば、心拍や脈拍等の生体情報から「徒歩」、「静止」等のユーザの運動状態が、また、環境センサ１１２から取得される、例えば、特定の腕に動きがある等の動作ログからユーザの運動状態が判別可能である。また、環境センサ１１２から環境情報、あるいはＧＰＳ軌跡と地図データを持つことで、ある位置情報についての標高や、その他の地理的な属性を調べることか可能である。
【００３７】
例えば、ユーザが現在道路上にいる、あるいは山、湖、海等にいる、更には、標高○m以上、道路／建物内／△△山近辺／◇◇湖の上にいる等の判定が可能であり、これらの情報は、制御部１３による制御の下で記憶部１２の入力データテーブル１２１ｂに設定される。図３（ｂ）に入力データテーブル１２１ｂに設定されるデータが例示されている。
【００３８】
尚、標高に関するデータは、国土地理院が提供するデータを用いることとし、その詳細は、＜インターネットＵＲＬ＞「http://www.gsi.go.jp/johofukyu/hyoko_system.html」に開示されている。また、「Open Street Map」等のオープンソース地図データでは、地点やエリアに対し、建物・道路・自然物などの詳細なタグ付けが可能になっている。これを利用することで、ある地点の地理的な属性を調べることが可能である。このことは、＜インターネットＵＲＬ＞「http://wiki.openstreetmap.org/wiki/JA:Map_Features」に詳細に開示されている。
【００３９】
図４（ａ）に行動記憶手段１２２に格納される行動パターン判定テーブル１２２ａのデータ構造の一例が、図４（ｂ）に、同じく行動記憶手段１２２に格納される行動パターン予測テーブル１２２ｂのデータ構造の一例が示されている。
【００４０】
前者は、入力データテーブル１２１ａ，１２１ｂに格納された、運動状態と外部環境とにより現在におけるユーザの行動状態を判別するために使用されるテーブルであり、後者は、判定した行動状態の次のユーザ行動を予測し、予測したユーザの次の行動状態を判別するために使用されるテーブルである。いずれも、入力データテーブル１２１に設定された運動状態（入力データテーブル１２１ａ）と外部環境（入力データテーブル１２１ｂ）のマトリクスにより判定され、あるいは予測される。
【００４１】
なお、行動状態判別のために、例えば、スマートフォン等で流通しているAndroidの「Detected Activity API」や、Web APIである、Invensense社の「Automatic Activity Recognition等が知られている。
【００４２】
図４（ａ）の行動パターン判定テーブル１２２ａによれば、入力データテーブル１２１ａの運動状態が「徒歩」で、入力データテーブル１２１ｂの外部環境が「道路上」であれば、ユーザの行動状態は「ウォーキング」であると判定され、外部環境が「山」、あるいは、「標高の増減が○ｍ／ｈ以上」であれば、ユーザの行動状態は「ハイキング」であると判定される。判定は、制御部１３の表示制御手段１３０によって行われる。また、入力データテーブル１２１ａの運動状態が「静止」であれば、入力データテーブル１２１ｂの外部環境がいずれの場合であってもユーザの行動状態は「休憩」と判定される。また、入力データテーブル１２１ａの運動状態が「特定の腕の動きがある」場合、入力データテーブル１２１ｂの外部環境が、「山」、「湖」、「海」のそれぞれにおいて、ユーザの行動状態は「釣り」と判定される。
【００４３】
なお、図４（ａ）に示した行動パターン判定テーブル１２２ａにおいて、印×は、通常発生し得ない行動パターン、印＊１は、例えば、竿を振ってルアーを投げる、定期的にルアーを引く等、釣りの特徴的な動きを推定する動作を示す。
【００４４】
図４（ｂ）に示した行動パターン予測テーブル１２２ｂによれば、予測前後のユーザの行動状態が、「ランニング」、「トレイルランニング」の場合、印＊２として示すように、多少の運動状態の振れがあっても、ユーザの行動状態は、「トレイルランニング」と予測する。また、予測前後の行動状態が、「ランニング」、「釣り」の場合、印＊３として示すように、「釣り」判定に使用する「特定の腕の動きがある」の運動状態を除外して環境センサ１１２のジャイロの動作を完全に除去する等により、可能性の低い状態として排除し、又は優先度を極端に下げて推定の精度を上げ、あるいは電力消費を抑制する。
【００４５】
（第１実施形態の動作）
以下、図５，図６のフローチャートを参照しながら、図１から図４に示した第１実施形態に係る携帯型電子装置１０の動作（ディスプレイ制御方法）について詳細に説明する。なお、以下に説明する各ステップは、該当するプログラムをコンピュータにて実行させることにより、実現することができる。
【００４６】
図５に、第１実施形態に係る携帯型電子装置１０の基本動作がフローチャートで示されている。図５によれば、第１実施形態に係る携帯型電子装置１０は、センサ部１１の生体センサ１１１がユーザの身体状況データ（生体情報）を検知し、制御部１３がこれを取得して表示制御手段１３０に引き渡す（ステップＳ１０）。次に、環境センサ１１２が外部環境データ（環境情報）を検知し、制御部１３がこれを取得して表示制御手段１３０に引き渡す（ステップＳ１１）。このとき、表示制御手段１３０は、環境センサ１１２によって検知されるＧＰＳ他のデータも取得してあるものとする。なお、生体情報と環境情報検知あるいは取得の順序は任意であり、それぞれのセンサで検知された順にしたがい取得されるものとする。
【００４７】
これを受けて制御部１３の表示制御手段１３０は、行動記憶手段１２２に格納された行動パターン判定テーブル１２２ａに基づきユーザの行動状態の判定を行う（ステップＳ１２）。行動状態の判定にあたり、表示制御手段１３０は、センサ部１１から取得される生体情報と環境情報に基づき、例えば、図３（ａ）（ｂ）に示す入力データテーブル１２１ａ，１２１ｂに示す、運動状態、外部環境に関するデータを生成する。そして、この入力データテーブルに設定された運動状態の情報、外部環境の情報に基づき、例えば、図４（ａ）に示す行動パターン判定テーブル１２２ａを索引する。そして、例えば、入力データテーブル１２１ａに設定された運動状態が「徒歩」で、入力データテーブル１２１ｂに設定された外部環境が「道路上」である場合、表示制御手段１３０は、ユーザの行動状態を「ウォーキング」と判定する。
【００４８】
表示制御手段１３０は、入力データテーブル１２１ａ，１２１ｂのいずれかに設定される運動状態の情報、及び／又は外部環境の情報に一定の変化が認識されると（ステップＳ１３“ＹＥＳ”）、予測手段１３２を起動し、予測手段１３２による、表示制御手段１３０が判定した動作状態に続く次の行動状態の予測処理を実行させる。予測手段１３２によるユーザの動作状態の予測は、例えば、図４（ｂ）に示す行動パターン予測テーブル１２２ｂを索引することにより実行される。すなわち、予測手段１３２は、例えば、予測前後の行動パターンが、いずれも「ランニング」であった場合は、「ランニング」と予測し、「ランニング」、「トレイルランニング」であった場合は、「トレイルランニング」であると判定する（ステップＳ１４）。
【００４９】
続いて、表示制御手段１３０は、学習手段１３１を起動し、学習手段１３１に行動状態の学習処理を実行させる。学習手段１３１は、行動パターン判定テーブル１２２ａに格納された類型化された行動パターンに学習結果を反映させ、ユーザの行動履歴として記憶していくように制御する。すなわち、行動履歴は、ユーザの行動に応じて順次更新され、行動状態が更新された行動履歴を参照して学習的に推定される（ステップＳ１５）。
【００５０】
次に、表示制御手段１３０は、自身が判定した行動状態、あるいは予測手段１３２により予測された後続する行動状態に適応するように表示部１４による「第１の表示」、「第２の表示」の制御を行う（ステップＳ１６）。表示部１４は、互いに対し相対的に、消費電力が少なくかつ表示内容が低精細な「第１の表示」と、消費電力が多くかつ表示内容が高精細な「第２の表示」とを表示可能なように構成されていることは上述した通りである。
【００５１】
図６に、図５のステップＳ１６の「行動状態に適応する表示部制御」の詳細な動作手順が示されている。表示制御手段１３０は、判定あるいは予測したユーザの行動状態を取得し、その行動状態に適応する表示モードを判定する（ステップＳ１６１）。以降、図２のハードウエア構成を参照しながら詳述する。ここで、「モード１」が設定されていた場合（ステップＳ１６２“ＹＥＳ”）、ローパワーの第１のプロセッサ１４１がドライバ１４４を駆動してメモリ１４３に描画された表示データを上層のディスプレイ１４８上に表示する（ステップＳ１６３）。
【００５２】
また、「モード２」が設定されていた場合は（ステップＳ１６４“ＹＥＳ”）、ハイパフォーマンスの第２のプロセッサ１４２が、ドライバ１４６を駆動してメモリ１４５に描画された表示データを下層のディスプレイ１４９上に表示する（ステップＳ１６５）。また、「モード３」が設定されていた場合（ステップＳ１６６“ＹＥＳ”）、ローパワーの第１のプロセッサ１４１がドライバ１４４を駆動してメモリ１４３に描画された表示データを上層のディスプレイ１４８上に表示するとともに、ハイパフォーマンスの第２のプロセッサ１４２が、ドライバ１４６を駆動してメモリ１４５に描画された表示データを下層のディスプレイ１４９上に表示する。つまり、第１のプロセッサ１４１と第２のプロセッサ１４２がデュアル構成で動作し、それぞれがメモリ１４３，１４５に描画した表示データを組み合わせた表示を行う（ステップＳ１６７）。
【００５３】
なお、「モード３」を実行するにあたり、「第１の表示」と「第２の表示」が互いに同期して表示されるように、第１のプロセッサ１４１，第２のプロセッサ１４２間で相互に情報を連携しながら動作させる必要がある。また、このとき、上層のディスプレイ１４８と下層のディスプレイ１４９とを同時表示させて双方の重ね合わせ表示を行うこともできる。この場合、第１のプロセッサ１４１、第２のプロセッサ１４２は、連携し、見た目を考慮して同期した表示を行う必要がある。
【００５４】
一方、「モード４」が設定されていた場合（ステップＳ１６８“ＹＥＳ”）、第１のプロセッサ１４１，第２のプロセッサ１４２共にドライバ１４４，１４６の駆動を停止し、その結果、上層のディスプレイ１４８，下層のディスプレイ１４９ともに表示動作を休止する（ステップＳ１６９）。
【００５５】
なお、表示制御手段１３０は、ユーザの行動状態に適応する表示制御を実行するにあたり、例えば、ウェアラブル装置であれば、常に下層のディスプレイ１４９による高精細で多色の第２の表示を行う必要はなく、常時、上層のディスプレイ１４８を駆動して超低消費電力の第１の表示を行い、ユーザが表示部１４の画面を視認している時間帯だけ第２の表示に切り換えればよい。このため、ローパワーの第１のプロセッサ１４１は、常時、モード変更イベントの到来を監視している（ステップＳ１７０）。ここで、モード変更イベントとは、第１のプロセッサ１４１が、ユーザが表示部１４を視認していることを知るためのトリガであり、「ボタン押下」、「ユーザタッチパネルに触れる」、「ユーザの姿勢を自動検知する」、「特定のジェスチャや特定のショックを検知する」、「ボイスコマンド」等である。
【００５６】
第１のプロセッサ１４１は、生体センサ１１１、環境センサ１１２、撮像センサ１１３等により検知される上記したモード変更イベントを受信すると（ステップＳ１７０“ＹＥＳ”）、表示モードの変更を行う。例えば、「モード２」あるいは「モード３」から「モード１」への設定変更を行う（ステップＳ１７１）。また、第１のプロセッサ１４１は、「モード２」又は「モード３」において、所定時間以上のタッチパネル部１５等による操作が検出されないときは（ステップＳ１７２“ＹＥＳ”）、「モード４」へ設定を移行させる制御も行う（ステップＳ１７３）。
【００５７】
なお、上記モードによる表示制御を実行するにあたり、第１のプロセッサ１４１と第２のプロセッサ１４２は、「モード３」において「第１の表示」と「第２の表示」が互いに同期して表示されるように、プロセッサ間で相互に情報を連携しながら動作させる。また、上層のディスプレイ１４８と下層のディスプレイ１４９とを同時表示させて双方の重ね合わせ表示を行うことも可能であり、この場合、第１のプロセッサ１４１と第２のプロセッサ１４２は、見た目を考慮して同期した表示を行う必要がある。
【００５８】
（第１実施形態の効果）
以上説明したように、本発明の第１実施形態に係る携帯型電子装置１０によれば、制御部１３が、行動パターンを記憶する行動記憶手段１２２を参照して、センサ部１１によって測定された結果に基づきユーザの行動履歴を参照してユーザの行動状態に適応するように、互いに相対的に「第１の表示」（消費電力が少なくかつ表示内容が低精細な表示）と、「第２の表示」（消費電力が多くかつ表示内容が高精細な第２の表示）の駆動を制御することにより、多様なユーザやユーザの様々な行動に依存することなく表示の最適な動作制御が可能になる。
【００５９】
また、ユーザが意識することなく省電力化も可能になる。例えば、ウェアラブル装置で運動時のデータ計測を行う場合、その運動のジャンルによって、表示したい情報や、その表示更新間隔が異なる。例えば、ランニングや自転車などのスピード感のある運動では、ペースなどの情報が秒単位で更新される必要がある一方、登山などの安定したペースの運動では、かなり間隔を空けた表示更新で構わない場合も多い。また、前者は、例えば、シンプルで大きい数字表示等一瞥した時の視認性が重視され、また、後者は、例えば、地図を使った現在地表示等により、状況を総合的に把握することが重視される。すなわち、求められる情報表示方法にも違いがある。
【００６０】
これらを区別せず、不要な、又は必要以上の頻度で表示部１４を動作させることは、ウェアラブル装置の早期のバッテリ切れにつながるが、第１実施形態に係る携帯型電子装置１０によれば、制御部１３が、ユーザが行っている行動のジャンルを推定し、その場に応じた最適な表示制御を、自動、又は非常に少ないユーザ操作によりで実現することができる。このことにより、不要なバッテリ消耗を抑えるとともに、その時にユーザが必要とする情報を、状況に適した表示で伝えることができる。また、制御後にユーザが自分の好みの状態に修正することも可能で、それを学習することで、次回以降の制御をユーザ所望の状態で開始することができる。
【００６１】
また、過去にユーザが行ったことのあるエリアに差し掛かったことを認識した場合、蓄積されたユーザの行動履歴を参照することにより同様の表示制御を行うことができる。この場合、制御部１３（表示制御手段１３０）は、ユーザの行動履歴を参照するだけで行動状態の判定処理を省くことができるため、全体としてのスループットが向上する。例えば、△△山近辺で前回ハイキングをした時のログがあり、今回も△△山で徒歩移動している場合、制御部１３は、同様のハイキング用計測を行うと判定し、前回と同様に必要な表示のみを選択して動作させる。なお、静止状態○分と判定されると、表示を一時休止する等のダイアログを表示し、休止した場合、歩行を開始したら動作を再開する等の制御も可能である。
【００６２】
なお、本発明の第１実施形態に係る携帯型電子装置１０によれば、表示制御手段１３０は、ユーザの行動状態に適応するようにモードを切り換えて「第１の表示」と「第２の表示」の駆動を制御する例についてのみ説明したが、記憶部１２の所定の領域に、別途、予め記憶される表示制御テーブル（図示省略）の内容に従いユーザの行動状態に適応するように表示動作を制御してもよい。例えば、入力データテーブル１２１により、「△△山エリア、道路以外で徒歩」と運動状態の情報と外部環境の情報が推定された場合、行動記憶手段１２２により、行動状態は、ハイキング中であると判定され、このとき、表示制御テーブルに定義されたプリセットデータに従い、ハイキングに適した表示のためのプリセット動作が開始される。プリセットデータには、上記したモードの他に、行動種別毎に表示に要するデータ、及び表示更新間隔等が定義されているものとする。なお、表示制御テーブルに記憶されたプリセットデータが、ユーザの希望に合致するもので無ければ、ユーザはそれを手動で修正・変更することができる。
【００６３】
なお、上述した本発明の第１実施形態に係る携帯型電子装置１０は、スタンドアロン構成であり、装置内に行動記憶手段１２２を備え、制御部１３が行動記憶手段１２２に記憶されている行動履歴を参照してユーザの行動状態に適応するように表示部１４の動作状態を制御することとしたがこれに限るものではない。
【００６４】
携帯型電子装置１０内の行動記憶手段１２２は、通信部１６を介して外部のサーバ（図示せず）に記憶されている行動状態を受信し、一時保存するメモリとして機能することができる。そうすることによって、多量の行動パターンを参照することが可能になり、また多数のユーザの行動履歴を参照することも可能となる。
【００６５】
さらに、携帯型電子装置１０が通信部１６を介してネットワーク経由でサーバに問い合わせを行い、サーバが、ユーザの行動状態に適応するように端末が有する表示部の動作状態を自動制御することも可能であり、この場合、端末の処理負荷を大幅に軽減することができる。
【００６６】
以下の説明では、ネットワークを使用したディスプレイ制御システムを第２実施形態として、図７，図８を参照しながら説明する。
【００６７】
（第２実施形態の構成）
図７に、本発明の第２実施形態に係るディスプレイ制御システム１００の構成を示す。以下の説明において、スマートフォンをスマホ端末、パーソナルコンピュータをＰＣ、ソーシャル・ネットワーク・サービスシステムをＳＮＳと略称する。
【００６８】
サーバ１０５含むＳＮＳサイト１０４は、インターネットを介して会員のスマホ端末１０２、リスト端末１０１ａ，１０１ｂ、及びＰＣ１０３と接続される。ここで、リスト端末１０１ａ，１０１ｂは腕に装着可能な腕時計型の端末であり、スマホ端末１０２と無線で接続可能である。リスト端末１０１ａは、図１にセンサ部１１として示す、生体センサ、ＧＰＳレシーバ等を含む環境センサと、表示部と、これらを制御する制御部とが設けられる本体を有し、本体がユーザの身に付けることが可能なウェアラブル型になっている。なお、図７では、センサ部１１の一部として、ＣＭＯＳやＣＣＤ等の撮像センサ１１３を設けた例を示している。
【００６９】
なお、スマホ端末１０２は、通信端末として機能するもので、アプリケーションプログラムをインストールして、ＳＮＳサイト１０４との連携を図る動作をする。また、リスト端末１０１ａ，１０１ｂにも比較的軽いアプリケーションプログラムをインストールしてスマホ端末１０２との連携を図るように動作する。すなわちリスト端末１０１ａ，１０１ｂとＳＮＳサイト１０４を仲介するもので、小型ＰＣやタブレット、無線ルーター等で代用することができる。なお、リスト端末１０１ａ，１０１ｂとサーバ１０５を直接接続して、スマホ端末１０２を経由しなくてもＷｉ−Ｆｉ（登録商標）や電話回線により情報交換ができるルートも用意されている。
【００７０】
サーバ１０５は、図４（ａ）（ｂ）にデータ構造の一例を示した行動パターンを記憶する行動記憶手段を備えており、サーバ１０５は、この行動記憶手段を参照して、ユーザの行動状態に適応するように、リスト端末１０１ａ，１０１ｂの表示部の動作状態を制御するための制御信号をリスト端末１０１ａ，１０１ｂ等の携帯型電子装置の制御部へ送信し、制御部は、制御信号に基づいてユーザの行動状態に適応するように、表示部の動作状態を制御する。サーバ１０５は、他に、図３（ａ）（ｂ）にその制御データの一例を示す入力データテーブルも備えている。
【００７１】
（第２実施形態の動作）
以下、図８の動作シーケンス図を参照しながら、本発明の第２実施形態に係るディスプレイ制御システム１００の動作（ディスプレイ制御方法）について詳細に説明する。なお、以下に説明する各ステップは、該当するプログラムをコンピュータにて実行させることにより、実現することができる。図８によれば、まず、リスト端末１０１ａは、生体センサで検知された生体情報をスマホ端末１０２経由でサーバ１０５へ送信する（ステップＳ１０１，Ｓ１０２）。続いて。リスト端末１０１ａは、ＧＰＳレシーバを含む環境センサで検知された環境情報他のデータをスマホ端末１０２経由でサーバ１０５へ送信する（ステップＳ１０３，Ｓ１０４）。なお、サーバ１０５において、生体情報と環境情報取得の順は任意であり、それぞれのセンサで検知された順にしたがい取得されるものとする。
【００７２】
リスト端末１０１ａから生体情報と環境情報等を取得したサーバ１０５は、内蔵の行動記憶手段を索引し、判定し、あるいは予測したユーザの行動状態に基づく、表示モードを含む表示制御データを作成し、その表示制御データをスマホ端末１０２経由でリスト端末１０１ａ，１０１ｂへ送信する（ステップＳ１０５，Ｓ１０７）。サーバ１０５は、同時にそのユーザの行動状態を学習し、結果を内蔵のメモリに蓄積して次回以降のユーザの行動状態の判定、あるいは予測に用いる（ステップＳ１０６）。表示制御データを受信したリスト端末１０１ａ，１０１ｂは、その表示制御データに従い、表示部を制御する（ステップＳ１０８）。すなわち、リスト端末１０１ａ，１０１ｂは、サーバから取得される表示モードを含む表示制御データに従い、ユーザの行動状態に適応するように、互いに相対的に、「第１の表示」（消費電力が少なくかつ表示内容が低精細な表示）と、「第２の表示」（消費電力が多くかつ表示内容が高精細な第２の表示）の駆動を制御する。
【００７３】
（第２実施形態の効果）
以上説明のように本発明の第２実施形態に係るディスプレイ制御システム１００によれば、リスト端末１０１ａ，１０１ｂが、検知した生体情報、環境情報等に基づきサーバ１０５にディスプレイ制御データの問い合わせを行ない、サーバ１０５が、内蔵する行動記憶手段を参照して、ユーザの行動状態に適応するようにリスト端末１０１ａ，１０１ｂの表示の動作状態を制御する構成とすることで、表示モード、あるいは動作タイミング、種類、表示更新間隔が最適になるように、リスト端末１０１ａ，１０１ｂが有する表示部を自動で制御することができる。したがって、多様なユーザやユーザの様々な行動に依存することなく端末の表示の最適な動作制御が可能になる。また、このとき、モード変更イベントの受信により表示モードの切り換え、あるいは一定時間操作が無いことを検知した場合に無駄な表示動作を停止させることができ、従って、リスト端末１０１ａ，１０１ｂの不要な電池消耗を抑えるとともに、ユーザの操作ミスによる計測漏れ等も回避することができる。
【００７４】
また、第１実施形態の携帯型電子装置１０と同様、第２実施形態に係るディスプレイ制御システム１００においても、行動記憶手段１２２に記憶される判定に使用するテーブル類をユーザが自分の嗜好に応じて修正することも可能であり、また、それを学習することで、次回以降のディスプレイの制御をユーザが希望するタイミングで制御することができる。これらの判定を、主にサーバ１０５で行うことにより、リスト端末１０１ａ，１０１ｂの本体の頻繁なファームウェアの書換えを要することなく、行動記憶手段に記憶される行動パターン判定テーブルを木目細かく更新することが可能になる。
【００７５】
以上、各実施形態を用いて本発明を説明したが、本発明の技術的範囲は上記実施形態に記載の範囲には限定されないことは言うまでもない。上記実施形態及び実施例に、多様な変更又は改良を加えることが可能であることが当業者に明らかである。また、その様な変更又は改良を加えた形態も本発明の技術的範囲に含まれ得ることが、特許請求の範囲の記載から明らかである。
【００７６】
以下に、この出願の願書に最初に添付した特許請求の範囲に記載した発明を付記する。付記に記載した請求項の項番は、この出願の願書に最初に添付した特許請求の範囲の通りである。
【００７７】
［付記］
［請求項１］
表示部と、
ユーザの行動履歴を記憶する行動記憶手段と、
前記表示部を制御する制御部と、を備え、
前記表示部が、互いに対し相対的に、消費電力が少なくかつ表示内容が低精細な第１の表示と、消費電力が多くかつ表示内容が高精細な第２の表示とを表示可能なように構成され、
前記制御部が、前記ユーザの前記行動履歴を参照して前記ユーザの行動状態に適応するように、前記第１の表示及び前記第２の表示の駆動を制御する表示制御手段を有することを特徴とする携帯型電子装置。
［請求項２］
前記行動状態が、現に進行中の第１の行動状態を含むことを特徴とする請求項１に記載の携帯型電子装置。
［請求項３］
前記行動状態が、次に後続すると予測される第２の行動状態を含むことを特徴とする請求項１に記載の携帯型電子装置。
［請求項４］
前記行動記憶手段は、予め類型化された行動履歴を記憶していることを特徴とする請求項１に記載の携帯型電子装置。
［請求項５］
ユーザの状況及び／又は前記ユーザが置かれている環境を測定するセンサを備え、
前記行動記憶手段は、前記センサによって測定した結果に基づき、前記ユーザの行動履歴を記憶していくことを特徴とする請求項１に記載の携帯型電子装置。
［請求項６］
前記行動記憶手段は、外部のサーバに記憶されている行動履歴の少なくとも一部を受信して記憶することを特徴とする請求項１に記載の携帯型電子装置。
［請求項７］
前記表示部が単層のディスプレイから構成され、
前記表示制御手段が前記第１の表示と前記第２の表示とを前記ディスプレイ上に表示し、前記第１の表示と前記第２の表示とを切り替えることを特徴とする請求項１から６のいずれか１項に記載の携帯型電子装置。
［請求項８］
前記ディスプレイがメモリインピクセル（ＭＩＰ）液晶であることを特徴とする請求項７に記載の携帯型電子装置。
［請求項９］
前記表示部が複層のディスプレイから構成され、
前記表示制御手段が、前記第１の表示を第１のディスプレイ上に、前記第２の表示を第２のディスプレイ上に表示し、前記第１の表示と前記第２の表示とを切り替えることを特徴とする請求項１から７のいずれか１項に記載の携帯型電子装置。
［請求項１０］
前記第１のディスプレイが高分子分散（ＰＮ）液晶、前記第２のディスプレイが薄膜トランジスタ（ＴＦＴ）液晶であることを特徴とする請求項９に記載の携帯型電子装置。
［請求項１１］
前記表示制御手段が、前記第１の表示のみを表示させるモード１と、前記第２の表示のみを表示させるモード２と、前記第１の表示と前記第２の表示の両方を組み合わせて表示させるモード３と、前記第１の表示と前記第２の表示の両方を休止させるモード４と、を有することを特徴とする請求項１から１０のいずれか１項に記載の携帯型電子装置。
［請求項１２］
前記表示制御手段が、前記モード２又は前記モード３において所定時間以上の操作が検出されないときは、前記表示部を前記モード４へ移行させることを特徴とする請求項１１に記載の携帯型電子装置。
［請求項１３］
前記表示制御手段が、前記第１の表示を制御する低消費電力の第１のプロセッサと、前記第２の表示を制御するハイパフォーマンスの第２のプロセッサを有することを特徴とする請求項１１又は１２に記載の携帯型電子装置。
［請求項１４］
前記表示制御手段が、前記モード３において前記第１の表示と前記第２の表示が互いに同期して表示されるように、独立した前記第１のプロセッサと前記第２のプロセッサをして相互に情報を連携しながら動作させることを特徴とする請求項１３に記載の携帯型電子装置。
［請求項１５］
前記行動履歴が前記ユーザの行動に応じて順次更新され、前記行動状態が更新された前記行動履歴を参照して学習的に予測されることを特徴とする請求項１から１４のいずれか１項に記載の携帯型電子装置。
［請求項１６］
前記表示部、前記行動記憶手段及び前記制御部が設けられる本体をさらに備え、前記本体が前記ユーザの身に付けることが可能なウェアラブル型であることを特徴とする請求項１から１５のいずれか１項に記載の携帯型電子装置。
［請求項１７］
携帯型電子装置と、前記携帯型電子装置とネットワークを介して接続されたサーバと、を備えたディスプレイ制御システムであって、
前記携帯型電子装置が、
互いに対し相対的に、消費電力が少なくかつ表示内容が低精細な第１の表示と、消費電力が多くかつ表示内容が高精細な第２の表示とを表示可能なように構成された表示部と、
ユーザの行動履歴を参照して前記ユーザの行動状態に適応するように、前記第１の表示及び前記第２の表示の駆動を制御する制御部と、
を備えることを特徴とするディスプレイ制御システム。
［請求項１８］
前記サーバが、その行動記憶手段に記憶されている行動履歴を参照して、前記ユーザの行動状態に適応するように、前記第１の表示及び前記第２の表示の駆動を制御するための制御信号を前記携帯型電子装置の前記制御部へ送信し、
前記制御部は、前記制御信号に基づいて前記ユーザの行動状態に適応するように、前記第１の表示及び前記第２の表示の駆動を制御することを特徴とする請求項１７に記載のディスプレイ制御システム。
［請求項１９］
携帯型電子装置のコンピュータが、
ユーザの行動履歴を記憶するステップと、
前記行動履歴に応じて前記ユーザの行動状態に適応するように、互いに対し相対的に、消費電力が少なくかつ表示内容が低精細な第１の表示と、消費電力が多くかつ表示内容が高精細な第２の表示の駆動を制御するステップと、を備えることを特徴とするディスプレイ制御方法。
［請求項２０］
携帯型電子装置のコンピュータに、
ユーザの行動履歴を記憶する機能と、
前記行動履歴に応じて前記ユーザの行動状態に適応するように、互いに対し相対的に、消費電力が少なくかつ表示内容が低精細な第１の表示と、消費電力が多くかつ表示内容が高精細な第２の表示の駆動を制御する機能と、を実行させることを特徴とするディスプレイ制御プログラム。
【符号の説明】
【００７８】
１０…携帯型電子装置、１１…センサ部（１１１…生体センサ、１１２…環境センサ、１１３…撮像センサ）、１２…記憶部、１３…制御部（１３０…表示制御手段、１３１…学習手段、１３２…予測手段）、１４…表示部（１４１…第１のプロセッサ、１４２…第２のプロセッサ、１４３，１４５…メモリ、１４４，１４６…ドライバ、１４７…バックライト制御部、１４８…上層ディスプレイ、１４９…下層ディスプレイ、１５０…バックライトＬＥＤ）、１５…タッチパネル部、１６…通信部、１０１ａ，１０１ｂ…リスト端末、１０２…スマホ端末、１０３…ＰＣ、１０４…ＳＮＳサイト、１０５…サーバ
【図１】
0006265174.tif 000002
【図２】
0006265174.tif 000003
【図３】
0006265174.tif 000004
【図４】
0006265174.tif 000005
【図５】
0006265174.tif 000006
【図６】
0006265174.tif 000007
【図７】
0006265174.tif 000008
【図８】
0006265174.tif 000009